【事件の表示】
　特願２０００−　９１２１９「印刷制御装置、印刷制御方法、印刷装置、および記録媒体」拒絶査定不服審判事件〔平成１３年１０月　９日出願公開、特開２００１−２７７５５２〕について、次のとおり審決する。
【結　論】
　本件審判の請求は、成り立たない。
【理　由】
第１　手続の経緯　
　本願は、平成１２年３月２９日の出願であって、平成１７年１０月２１日に手続補正がなされ、平成１８年２月７日付けで拒絶査定がなされ、これに対して、同年３月１６日に拒絶査定不服審判が請求されるとともに、同年４月１７日に手続補正がなされ、当審において、前記平成１８年４月１７日付け手続補正が平成２１年５月２０日付けで却下されるとともに、同日付けで拒絶の理由が通知されたものである。
　
第２　本願発明
　本願の請求項１ないし８に係る発明は、平成１７年１０月２１日付け手続補正により補正された明細書及び図面の記載からみて、その特許請求の範囲の請求項１ないし８に記載された事項により特定されるとおりのものであると認められるところ、請求項１に係る発明（以下「本願発明」という。）は次のものである。
　
「互いに組み合わせて用いることにより無彩色を表現可能なシアン、マゼンタ、イエロの有彩色インクによるインクドットと、無彩色のインクによるインクドットとを形成してカラー画像を印刷する印刷部に、該各色のインクドットの形成を制御するための制御信号を出力して、該印刷部を制御する印刷制御装置であって、
　前記カラー画像の画像データを受け取る画像データ受取手段と、
　前記受け取った画像データに基づいて、前記各色のインクドットの形成有無を判断するドット形成判断手段と、
　前記ドット形成判断手段の判断結果を、前記制御信号として前記印刷部に出力する制御信号出力手段と
　を備え、
　前記ドット形成判断手段は、前記シアン、マゼンタ、イエロの各色インクのインクドットと、第１の無彩色のインクのインクドットと、該第１の無彩色インクよりも明度の高い第２の無彩色インクのインクドットとについて、ドット形成の有無を判断する手段であり、
　前記イエロインクは、前記シアン，マゼンタおよび第２の無彩色インクより明度が高く、前記第１の無彩色のインクは、前記シアンおよびマゼンタインクより明度が低く、かつ　前記第２の無彩色インクは、組合せにより無彩色を表現している前記シアン、マゼンタ、イエロの各色インクの中で最もインク量の少ない有彩色インクと等量のインクで画像を形成したときに、該シアン、マゼンタ、イエロの各色インクで表現された該無彩色の画像の明度よりも、明度の高い画像が形成されるインクである印刷制御装置。」
　
第３　刊行物の記載事項
　１　当審において平成２１年５月２０日付けで通知された拒絶の理由で引用された本願の出願前に頒布された刊行物である特開昭６４−４７５５３号公報（以下「引用例１」という。）には、図とともに次の事項が記載されている。
（１）「［産業上の利用分野］
　本発明はカラー階調記録方法、特に
同一色について少なくとも２種類の濃度の異なる濃淡インクを用いてイエロー、シアン、マゼンタ、ブラックの４色でカラー階調記録を行なう
［従来の技術］
　一般に
インクジェットプリンタ
イエロー、マゼンタ、シアン、ブラックのインクを用いてカラーの階調画像を形成する
イエロー、マゼンタ、シアンのいわゆる色インク濃度が等しい場合、それを単色のブラックに置き換えるいわゆる下色除去
が行な
　かかる下色除去を行なう際、置き換えによって加えられるブラックインクと色インクとが同−筒所に打たれると、色インクとブラックインクとが混ざることから、色ににごりが生じ彩度が落ち、画質を劣化させるので、色インクとブラックインクとを重畳させないいわゆる角スミと呼ばれる方法により画質改善がなされている。」（１頁右下欄２行〜２頁左上欄５行）（下線は審決で付した。以下同じ。）
　
（２）「濃淡２種類の濃度の異なるインクを用いて上記角スミ法により画像データとドットパターンとを対応させた例を第６図に示す、第６図（ａ）は色インクについて、また第６図（ｂ）は黒インクについて示している。このドッタパターンを用いた場合、
画像データとして、例えばイエロー＝　１６０，マゼンタ＝８５，シアン＝１２０が入力されたとすると、デ−タの共通量、すなわち８５を黒に置き換え、イエロ−＝７５，マゼンタ＝０，シアン＝３５，ブラック＝８５になる。
　本発明の目的は、かかる従来方法の問題点を解消し、特に低濃度領域において色インクの淡ドットと黒インクの淡ドットとが重なりあわないようドットパターンを決定することにより、全濃度域において色インクと黒インクとが極力重ならないようにして解像度を落すことを防ぎ、また色彩の面からも、にごりの少ない彩度の高いカラー画像を得られるようにしたカラー階調記録方法を提供することにある。」（２頁右上欄２行〜同頁左下欄４行）
　
（３）「第１図には、
マルチノズルヘッド
　第２図は、
画像デ−タを上述したインクジェットプリンタのヘッド２−１，２−２に送る信号に変換する画像処理装置の構成
　同図において、１６は
画像デ−タを入力する入力部
画像デ−タをドットを打つか否かの２値デ−タに展開するドット展開部で、このドット展開部１７で濃淡インク毎の２値デ−タが生成される
バッファメモリで、かかる２値デ−タを記憶する
出力部
バッファメモリ内の２値信号をマルチノズルヘッド２−１，２−２に出力し、所定のノズルからインクを吐出させ画像を形成
　
（４）「次に、上述の構成を有するインクジェットプリンタによって本発明の方法にかかる画像出力を行なう際の
画像データとドットパタ−ンの対応づけを第７図（ａ），（ｂ）に示す
　本発明によれば、淡インクについては、色インクおよびブラックインクは両者共ドットマトリクス内のドット打込み可能数の８０％を打込み量（面積）の上限として定めている。しかして、本実施例では、色インクの淡ドットについては３×３マトリクスで、９ドットで１００％埋められるところを原則的に通常５ドット、すなわちドットマトリクスの５６％を色インクの淡ドットの上限とし（レベルＮｏ．５，８，１１，１４，１７，２０，２６参照）、例外的に７ドット、すなわちドットマトリクスの７８％を上限としている（レベルＮｏ．２４参照）。
　そして、ドットの打込みはドットマトリクスの中心から開始し、中心から周辺に時計回りに打込み数が増大するようにしている。一方、ブラックインクの淡インクについては、原則的に通常４ドット、すなわちドットマトリクスの４４％を淡ドットの上限とし（レベルＮｏ．４，８，１０，１５参照）、例外的に７ドット、すなわちドットマトリクスの７８％を上限としている（レベルＮｏ．２１参照）。そして、ドットの打込みはドットマトリクスの角スミから開始し、周辺から中心に反時計回りに打込み数が増大するようにしている。
　ドットパターンの決定法は、まず
イエロ−、マゼンタ、シアンの色インクについては各色毎に
淡インク０〜５ドット、濃インク０〜９ドットの組合せで得られる
パッチ
の明度が画像データと直線関係でできるだけ等間隔で、なおかつ、濃度が高くなるにつれ、淡インクの使用量が減るような
組合せ
入力装置により読み取られた原稿の明度と画像デ−タは直線関係である
その画像デ−タとプリントの階調を直線関係にすることによって原稿に忠実なプリントが得られると共に、最高濃度では濃インクのみを使い、中濃度から最高濃度に移るにしたがい、淡インクの使用量をできるだけ減らす
インクの打込み量を減らすことによって記録紙のインク吸収限度を越えてあふれることのないようにしている
０〜２７階調のドットパタ−ンと画像デ−タを対応づける
　次に
ブラックインクについては、その淡インクは前述の如く原則的に色インクの淡ドットを補う形で、
０〜４ドット打
　
濃インクは０〜９ドットで
　それ以降は
色インクと同様に画像データとパッチの明度とが直線関係になるよう抽出、対応づけを行な
　従って、
原則的には淡インクにあっては色インクとブラックインクが重ねて打たれることはない
　以上説明した実施例は、ドットマトリクス中のドット数を制御するディジタル変調法について述べたが、これはアナログ変調法、ディジタル−アナログ変調法でも実現できることはいうまでもない。また、本実施例はインクジェットプリンタを例に説明したが、インクドットを用いるタイプのプリンタにはすべて適用可能である。
［発明の効果］
　以上の説明から明らかなように、本発明によれば、低濃度域で色インクと黒インクとが重なり、色がにごることが防止でき、また同一箇所にドットを多く打込まないので、にじみも防ぐことができる。特に、肌のようなハイライト部では黒インクが全面に入るとくすんだ印象の画像となり易いが、本発明によれば、あざやかで、また濃淡インクを用いているためなめらかな画質が得られるのである。」（３頁右下欄１２行〜４頁右下欄１７行）
　
（５）入力装置により読み取られた原稿の明度と直線関係であり、下色除去が行われたイエロー、マゼンタ、シアンの画像データ及び下色除去で置き換えられたブラックの画像データと、色インクの階調の濃淡組合せドットパターン及び黒インクの階調の濃淡組合せドットパターンとの対応づけを、それぞれ示す（上記（１）、（２）、（４）及び従来のものを示す第６図（ａ），（ｂ）を参照。）第７図（ａ）及び第７図（ｂ）の記載から、次のアないしウの事項が見て取れる。
　ア　下色除去が行われたイエロー、マゼンタ、シアンの画像データ及び下色除去で置き換えられたブラックの画像データはいずれも０〜２５５階調であり、画像データの明度は原稿の明度と直線関係にあるから、
画像データの０階調の明度が最も高く、画像データの２５５階調の明度が最も低い
　イ　
下色除去が行われたイエロー、マゼンタ、シアンの各色の画像データの０〜５４階調には色インクの濃インクは用いられずに淡インクのみによるドットパターンが対応づけられ、同画像データの５５階調から色インクの濃インクも用いるドットパターンが対応づけられ、５５階調から２５５階調へ明度が低い画像データになるにしたがい濃インクによるドットの数が多いドットパターンが対応づけられ
　ウ　
下色除去で置き換えられたブラックの画像データの０〜５１階調には黒インクの濃インクは用いられずに淡インクのみによるドットパターンが対応づけられ、同画像データの５２階調から黒インクの濃インクも用いるドットパターンが対応づけられ、５２階調から２５５階調へ明度が低い画像データになるにしたがい濃インクによるドットの数が多いドットパターンが対応づけられて
　
（６）上記（１）ないし（５）からみて、引用例１には、
「イエロー、マゼンタ、シアンのいわゆる色インク濃度が等しい場合、それを単色のブラックに置き換えるいわゆる下色除去を行なって、イエロー、マゼンタ、シアン、ブラックのインクを用いてカラーの階調画像を形成するインクジェットプリンタのマルチノズルヘッドに送る信号を画像デ−タから変換する画像処理装置であって、
　画像デ−タを入力する入力部と、
　前記入力部に入力された画像デ−タを展開し濃淡インク毎のドットを打つか否かの２値デ−タを生成するドット展開部と、
　かかる２値デ−タを記憶するバッファメモリと、
　前記バッファメモリ内の２値信号を前記マルチノズルヘッドに出力し、所定のノズルからインクを吐出させ画像を形成させる出力部と
　から構成され、
　前記入力部に入力された画像デ−タに基づいて下色除去が行われたイエロー、マゼンタ、シアンの画像データ及び下色除去で置き換えられたブラックの画像データはいずれも明度が最も高い０階調から明度が最も低い２５５階調までの画像データであり、
　前記イエロー、シアン、マゼンタ、ブラックの４色のインクは、同一色について２種類の濃度の異なる濃淡インクを用いており、
　前記ドット展開部は、イエロー、マゼンタ、シアンの色インクについては各色毎に、淡インク０〜５ドット、濃インク０〜９ドットの組合せで得られる０〜２７階調のドットパタ−ンの組合せを有しており、その各階調のドットパタ−ンの明度が、入力装置により読み取られた原稿の明度と直線関係である画像データと直線関係で、できるだけ等間隔で、下色除去が行われたイエロー、マゼンタ、シアンの各色の画像データの０〜５４階調には色インクの濃インクは用いられずに淡インクのみによるドットパターンが対応づけられ、同画像データの５５階調から色インクの濃インクも用いるドットパターンが対応づけられ、５５階調から２５５階調へ明度が低い画像データになるにしたがい濃インクによるドットの数が多いドットパターンが対応づけられ、インクの打込み量を減らすことによって記録紙のインク吸収限度を越えてあふれることのない、原稿に忠実なプリントが得られるような組合せであり、
　前記ドット展開部は、ブラックインクについても、色インクと同様に画像データとその明度とが直線関係になるよう対応づけを行なうものであり、その淡インクが前記色インクの淡ドットを補う形で０〜４ドット打たれ、その濃インクは０〜９ドット打たれるようになっており、下色除去で置き換えられたブラックの画像データの０〜５１階調にはブラックインクの濃インクは用いられずに淡インクのみによるドットパターンが対応づけられ、同画像データの５２階調からブラックインクの濃インクも用いるドットパターンが対応づけられ、５２階調から２５５階調へ明度が低い画像データになるにしたがい濃インクによるドットの数が多いドットパターンが対応づけられており、
　原則的には淡インクにあっては色インクとブラックインクが重ねて打たれることはない画像処理装置。」の発明（以下「引用発明」という。）が記載されていると認められる。
　
　２　当審において平成２１年５月２０日付けで通知された拒絶の理由で引用された本願の出願前に頒布された刊行物である特開平９−２８６１２２号公報（以下「引用例２」という。）には、図とともに次の事項が記載されている。
（１）「【０００１】
【発明の属する技術分野】本発明は、良好な階調再現記録が可能な階調記録装置に関する。
【０００２】
【従来の技術】近年、パソコンやワープロなどのＯＡ機器が広く普及し、これら機器で入力した情報の出力も文字や線画などのいわゆる２値画像だけではなく、写真などの中間調画像の出力やカラー画像の出力をする機会が急速に増えてきている。
【０００３】これら画像を出力する出力方法として様々な記録方法や記録装置が開発されてきている。中でも、安価に高画質
カラー記録が可能なインクジェット（ＩＪ）記録方式
では、上記中間調の記録を面積階調によって表現している
【０００４】面積階調とは記録媒体上への記録面積を制御することで中間調再現を行う方法で、例えばＩＪ記録装置を例として説明すれば大きくはドット径変調方式と
擬似階調方式
ディザマトリックス法
【０００５】
【発明が解決しようとする課題】しかし、上記従来の階調再現方法にあっては次のような不具合がある。
【０００６】１．ドット径変調手段にあっては現実的にドット当たりの吐出量の変調範囲は精々２倍程度であり、この程度の吐出量変調では中間調の再現能力としては不十分である。例えば８０ｎｇ／ドットの吐出量での記録ドット径と８ｎｇ／ドットの吐出量での記録ドット径の紙面上で比較すると、１ドット当たりの吐出量は１０倍違うにも拘らず紙面ドット径は２倍程度の差にしかならない。無論インクの組成によって若干の変動はあるにせよ、吐出量２倍程度の変調幅では紙面上での記録ドット径の制御による面積階調手段としてはとても十分とは言い難い。
【０００７】２．擬似階調方法、例えば
ディザマトリックス方法では
低階調の画像部（ハイライト部）でドットの粒状感が違和感として生じる
粒状感はドット濃度に起因して生じるので
【０００８】
粒状感が目立たないように薄い淡インクを用いて記録する
むやみにインクを希釈して用いたのではハイライト部の粒状感は緩和できてもダーク部での最高濃度を満足できずに画像全体として高画質化は望めない
同色系統の複数の濃度のインクを記録インクとして用いる、いわゆる濃淡インク記録
十分に薄いインクと十分に濃いインクを用いることでハイライト部の粒状感とダーク部の最高濃度を双方満足する記録方法である
階調再現において淡インク記録から濃インク記録への切り替わり部で粒状感が生じてしまう
十分に薄い淡インクで記録したハイライト画像の中に十分に濃い濃インクのドットを打ち込むと淡インク画像と濃インクドットのコントラストの差で粒状感が目立ってしまい、濃淡記録を行った効果が得られなくなる
【０００９】本発明は、上記従来の課題を解決し、実解像度を低減することなく、粒状感を抑制した高品位な中間調記録を行うことを最小限のインクの種類で可能とする中間調記録方法とこれによる中間調記録装置、中間調記録に適したインクタンク、ヘッドカートリッジおよびこれらを用いるインクジェット記録装置を提供しようとするものである。」
　
（２）「【００５４】
【発明の実施の形態】本発明による記録装置では、高画質な階調記録を行うためにほぼ同一色で明度の異なる有彩色の色材をそれぞれ記録する記録手段を有する。上記複数の記録手段は、複数の記録ヘッドを用いて記録を行う別体方式であってもよく、また１つの記録ヘッドで複数の濃度の記録を行う一体方式であってもよい。
【００５５】
高画質な階調記録のためには、低中間調画像部（ハイライト部）から高中間調画像部（ダーク部）まで広い階調再現範囲と違和感のない階調のつなぎを実現する
再現可能な最高画像濃度が高い
違和感のない階調のつなぎとは
周囲画像とのコントラストの差で定義できる
記録媒体と印字ドットのコントラストがある一定以上となると画像にぼつぼつ感、ざらざら感（これを粒状感と称す）が気にかかり
コントラストの指標の一つとして明度差をあげる
明度差が２５を超えると粒状感が意識され始め、３５を超えると顕著に粒状感が感じられる
９０前後である
明度の記録媒体上に直接記録してもそのドットの粒状感が目立たないようにするためにはインクの記録明度は６５以上であること
最も淡いインク（淡インク）
による記録明度は６５となるような記録インク（色材）を用いる
【００５６】なお、前記記録明度とはＣＩＥ（国際照明委員会）が１９７６年に勧告した心理計測明度の定義で、通常Ｌ＊で表記する値を意味する（今後特に明記しない場合、明度、色相、彩度はＣＩＥ１９７６での定義とする）。
【００５７】また記録明度の測定方法は、前記記録手段によって記録媒体上に記録した記録ドットの明度、または色材を１００％ベタ記録した場合の記録領域の明度で、このときの光源は前記ＣＩＥ定義の標準照明光Ｄ６５である。
【００５８】また前記の通り、広い再現範囲を実現するために
最高画像濃度を一定値以上と設定する
光学反射濃度（Ｏ．Ｄ）で１．４以上であること
Ｙ（イエロー）、Ｍ（マゼンタ）、Ｃ（シアン）系のインクを用いてフルカラーを記録する系においては、Ｙインクは上記明度６５以上のインクで濃度１．４が実現できる色相のインクなので、Ｙ色材は明度８５のインク１種類とする。Ｍ，Ｃインクは明度６５に調整したインクではＯ．Ｄ１．４を達成できないのでこの明度６５の記録明度となるＭ，Ｃ色材（淡インク）を１種類と、さらにＯ．Ｄ１．４を達成できるＭ，Ｃ色材（濃インク）を設定する
中間調記録ではハイライト部（低階調部）は上記淡インクで記録を行い、ダ−ク部（高階調部）記録に移るにしたがって濃インクによる記録を混在させて中間調記録を行う
濃インクによるドットの粒状感を目立たなくするためには淡インク記録部の明度と濃インク記録部の明度の明度差を前記同様望ましくは２５以内、最大でも３５以内になるように濃インクの明度（インク濃度）を決定する
Ｙは１種類、Ｍ，Ｃは各２種類の前記明度に調整したインクを用いることにより、低階調部から高階調部まで全ての中間調再現域において違和感のない階調のつなぎと広い階調再現範囲をもつ高画質階調記録装置を各色最小限の種類の（記録明度の）インク（色材）をもつことで可能になる
　
（３）「【００６３】
【実施例】
実施例１
次に実施例について図面を参照して具体的に説明する。なお、本実施例では色材の種類は同一色相の色材を各１種類のみ有する記録装置についての例である。
【００６４】図１はインクジェット方式の記録装置を説明するための斜視図である。
【００６５】まず記録装置の全体構成を説明すると、図において、１００１は紙またはプラスチックシートよりなる記録シートである。カセットなどに複数枚積み重ねられたシート１００１が給紙ローラ（不図示）によって一枚ずつ供給され、一定間隔を隔てて配置され、それぞれ個々のステッピングモータ（図示せず）によって駆動する第一搬送ローラ対１００３および第２搬送ローラ対１００４によって矢印Ａ方向に搬送されるように構成されている。
【００６６】１００５は前記記録シート１に記録を行うためのインクジェット式の記録ヘッドである。１００５ａはＫ（ブラック）インクを記録する記録ヘッドであり、１００５ｂはＣ（シアン）インクを記録する記録ヘッドであり、１００５ｃはＭ（マゼンタ）インクを記録するヘッドであり、１００５ｄはＹ（イエロー）インクを記録する記録ヘッドである。インクの濃度は各色１段階のみであり、不図示のインクカートリッジから各々供給されノズルから画信号に応じて吐出される。この記録ヘッド１００５およびインクカートリッジはキャリッジ１００６に搭載され、このキャリッジ１００６にはベルト１００７およびプーリ１００８ａ，１００８ｂを介してキャリッジモータ１０２３が連結している。したがって、前記キャリッジモータ１０２３の駆動により前記キャリッジ１００６がガイドシャフト１００９に沿って往復走査するように構成されている。
【００６７】前記構成により、記録ヘッド１００５が矢印Ｂ方向に移動しながら画信号に応じてインクを記録シート１００１に吐出してインク像を記録し、必要に応じて記録ヘッド１００５はホームポジションに戻ってインク回復装置（不図示）によりノズルの目詰まりを解消するとともに、搬送ローラ対１００３，１００４が駆動して記録シート１００１を矢印Ａ方向に１行分搬送する。これを繰り返すことによって記録シート１００１に所定記録行うものである。
【００６８】次に前記記録装置の各部材を駆動させるための制御系について説明する。この制御系は図２に示すように、例えばマイクロプロセッサなどのＣＰＵ１０２０ａ，このＣＰＵ１０２０ａの制御プログラムや各種データを格納しているＲＯＭ１０００ｂ、およびＣＰＵ１０２０ａのワークエリアとして使用されるとともに、記録画像データなどの各種データの一時保管などを行うＲＯＭ１０２０ｃなどを備えた制御系１０２０、インターフェース１０２１、操作パネル１０２２、各モータ（キャリッジ駆動用のキャリッジモータ１０２３、給紙モータ駆動用の給紙モータ１０２４、第１搬送ローラ対駆動用の第１搬送モータ１０２５、第２搬送ローラ対駆動用の第２搬送モータ１０２６）を駆動するためのドライバー１０２７、および記録ヘッド駆動用のドライバー１０２８からなる。
【００６９】上記制御部１０２０はインターフェース１０２１を介して操作パネル１０２２からの各種情報（例えば文字ピッチ、文字種類など）や、外部装置１０２９との画信号などのＩ／Ｏ（情報の入出力）を行う。また前記制御部１０２０はインターフェース１０２１を介して各モータ１０２３〜１０２６を駆動させるためのＯＮ，ＯＦＦ信号、および画信号を出力し、この画信号によって各部材を駆動させる。
【００７０】前記記録装置では３６０ｄｐｉ（ｄｏｔ／ｉｎｃｈ）の解像度で記録が行われる。記録ヘッドの解像度も３６０ｄｐｉで、各ヘッド１列に６４ノズルの記録ノズルを有している。各ノズルから吐出される記録液滴は各ヘッド共通でおよそ４０ｎｇで一般的なコピー用紙に記録された場合の記録ドット径は約９０μｍである。したがって、縦横３６０ｄｐｉの格子点に各１ドット印字することで記録媒体の印字エリアが全面記録インクで覆われることとなる。（この印字比率で印字を行うことを以下「１００％ベタ印字」と略記する）
本記録装置で対象としている記録媒体は、前記一般的なコピー用紙と、表面にインクを保持するコート層が設けられているインクジェット専用紙である。前記コピー用紙で前記１００％ベタ印字を行った場合の光学反射濃度（Ｏ．Ｄ）が１．０以上、かつ
インクジェット専用紙で１００％ベタ印字を行った場合の光学反射濃度（Ｏ．Ｄ）が１．４以上となるインク組成を表１に記す
Ｙインクの染料濃度（重量％）が３．０％で、他のＫ，Ｃ，Ｍインクの染料濃度は３．５％となっている
【００７１】
【表１】
┌−−−−−−−−┬−−−−−┬−−−−−┬−−−−−┬−−−−−┐
｜　　　　　　　　｜　　Ｋ　　｜　　Ｃ　　｜　　Ｍ　　｜　　Ｙ　　｜
├−−−−−−−−┼−−−−−┼−−−−−┼−−−−−┼−−−−−┤
｜染料　　　　　　｜　３．５％｜　３．５％｜　３．５％｜　３．０％｜
├−−−−−−−−┼−−−−−┼−−−−−┼−−−−−┼−−−−−┤
｜グリセリン　　　｜１５．０％｜１５．０％｜１５．０％｜１５．０％｜
├−−−−−−−−┼−−−−−┼−−−−−┼−−−−−┼−−−−−┤
｜アセチレノール　｜　１．０％｜　１．０％｜　１．０％｜　１．０％｜
├−−−−−−−−┼−−−−−┼−−−−−┼−−−−−┼−−−−−┤
｜尿素　　　　　　｜　７．５％｜　７．５％｜　７．５％｜　７．５％｜
├−−−−−−−−┼−−−−−┼−−−−−┼−−−−−┼−−−−−┤
｜純水　　　　　　｜７３．０％｜７３．０％｜７３．０％｜７３．５％｜
└−−−−−−−−┴−−−−−┴−−−−−┴−−−−−┴−−−−−┘
上記インクで前記インクジェット専用紙に記録を行った場合のＯ．Ｄと記録明度の関係を表２に記す
【００７２】
【表２】
　　　［Ｃ（シアン）］
┌−−−−−−−−┬−−−−−┬−−−−−┬−−−−−┬−−−−−┐
｜　　　　　　　　｜　 １倍 　｜　 ３倍 　｜　 ４倍 　｜　 ５倍 　｜
├−−−−−−−−┼−−−−−┼−−−−−┼−−−−−┼−−−−−┤
｜　１００％　　　｜1.50／52.1｜0.90／69.1｜0.70／73.0｜　−−−　｜
├−−−−−−−−┼−−−−−┼−−−−−┼−−−−−┼−−−−−┤
｜　２００％　　　｜1.75　　　｜1.42　　　｜1.15／　　｜　−−−　｜
├−−−−−−−−┼−−−−−┼−−−−−┼−−−−−┼−−−−−┤
｜　３００％　　　｜　−−−　｜1.62／　　｜1.50／　　｜1.30　　　｜
└−−−−−−−−┴−−−−−┴−−−−−┴−−−−−┴−−−−−┘
　
　　　［Ｍ（マゼンタ）］
┌−−−−−−−−┬−−−−−┬−−−−−┬−−−−−┬−−−−−┐
｜　　　　　　　　｜　 １倍 　｜　 ３倍 　｜　 ４倍 　｜　 ５倍 　｜
├−−−−−−−−┼−−−−−┼−−−−−┼−−−−−┼−−−−−┤
｜　１００％　　　｜1.42／46.2｜0.75／65.0｜ −−− 　｜ −−− 　｜
├−−−−−−−−┼−−−−−┼−−−−−┼−−−−−┼−−−−−┤
｜　２００％　　　｜1.60　　　｜1.35　　　｜ −−− 　｜ −−− 　｜
├−−−−−−−−┼−−−−−┼−−−−−┼−−−−−┼−−−−−┤
｜　３００％　　　｜　−−−　｜1.42／　　｜ −−− 　｜ −−− 　｜
└−−−−−−−−┴−−−−−┴−−−−−┴−−−−−┴−−−−−┘
　
　　　［Ｙ（イエロー）］
┌−−−−−−−−┬−−−−−┬−−−−−┬−−−−−┬−−−−−┐
｜　　　　　　　　｜　 １倍 　｜　 ３倍 　｜　 ４倍 　｜　 ５倍 　｜
├−−−−−−−−┼−−−−−┼−−−−−┼−−−−−┼−−−−−┤
｜　１００％　　　｜1.41／88.8｜ −−− 　｜ −−− 　｜ −−− 　｜
├−−−−−−−−┼−−−−−┼−−−−−┼−−−−−┼−−−−−┤
｜　２００％　　　｜ −−− 　｜ −−− 　｜ −−− 　｜ −−− 　｜
├−−−−−−−−┼−−−−−┼−−−−−┼−−−−−┼−−−−−┤
｜　３００％　　　｜ −−− 　｜ −−− 　｜ −−− 　｜ −−− 　｜
└−−−−−−−−┴−−−−−┴−−−−−┴−−−−−┴−−−−−┘
表中「１倍」と記載されている列の値が上記インクで記録を行った場合の実験結果で、「１００％」と記載されている行の値が前記１００％ベタ印字を行った場合の値である。ちなみに「２００％」は縦３６０ｄｐｉ、横７２０ｄｐｉの格子点に各１ドット印字した場合の結果であり、単位面積当たりの記録ドットの打ち込み量は１００％ベタ印字の場合の２倍となる。表１から明らかなように、
１００％ベタ印字時の各色の記録Ｏ．Ｄは、
Ｃインクが１．５０、Ｍインクが１．４２、Ｙインクが１．４１でいずれも１．４を超え
しかし、
記録明度はＹが８８．８と十分に高い明度を示しているのに比べ、Ｃが５２．１、Ｍが４６．２といずれも６０を下回っている
表２において、３倍、４倍、５倍と記している列がこのインクの希釈時の結果である。ここで、３倍とは前記１倍時の染料濃度を３分の１にしたインクで、４倍、５倍は各々４分の１、５分の１に染料濃度を下げたインクを表わす
染料濃度を低下させることによって記録明度（斜線右下）は上げられ、粒状感も低減できる。しかし、希釈倍率を上げればそれに応じて１００％ベタ記録時の濃度が落ちて、結果として階調再現の総合画像品位としてはトレードオフとなる
【００７３】しかし、
本実施例では階調再現性の品質を左右する上記ハイライト部での粒状感と最高画像濃度のバランスを定量的に判断し解を導く。すなわち、各色の記録明度が６０以上になるようにＹ，Ｍ，Ｃのインクの染料濃度を決定する。記録明度を６０以上とするのは、記録媒体との明度差を３５以内（Ｌ＊≦３５）とするためである
最も厳しいインクジェット専用紙の媒体明度９５であっても記録インクの記録明度を６０以上に合わせておけば、殆どのコピー用紙、インクジェット専用紙で明度差２５から３５を達成できる
【００７４】
本実施例ではＣ，Ｍともに希釈倍率を３倍とすることによりＣ，Ｍ記録明度を６０以上とすることが可能となる。したがって大半の記録媒体との明度差を３５以内とでき、ハイライト部での階調再現においても違和感のない滑らかな階調のつなぎが達成できる
【００７５】
【表３】
┌−−−−−−−−┬−−−−−┬−−−−−┬−−−−−┬−−−−−┐
｜　　　　　　　　｜　　Ｋ　　｜　　Ｃ　　｜　　Ｍ　　｜　　Ｙ　　｜
├−−−−−−−−┼−−−−−┼−−−−−┼−−−−−┼−−−−−┤
｜染料　　　　　　｜　３．５％｜　１．２％｜　１．２％｜　３．０％｜
├−−−−−−−−┼−−−−−┼−−−−−┼−−−−−┼−−−−−┤
｜グリセリン　　　｜１５．０％｜１５．０％｜１５．０％｜１５．０％｜
├−−−−−−−−┼−−−−−┼−−−−−┼−−−−−┼−−−−−┤
｜アセチレノール　｜　１．０％｜　１．０％｜　１．０％｜　１．０％｜
├−−−−−−−−┼−−−−−┼−−−−−┼−−−−−┼−−−−−┤
｜尿素　　　　　　｜　７．５％｜　７．５％｜　７．５％｜　７．５％｜
├−−−−−−−−┼−−−−−┼−−−−−┼−−−−−┼−−−−−┤
｜純水　　　　　　｜７３．０％｜７５．３％｜７５．３％｜７３．５％｜
└−−−−−−−−┴−−−−−┴−−−−−┴−−−−−┴−−−−−┘
上記Ｃ，Ｍの希釈インクを用いて１００％ベタ印字を行った場合のＯ．Ｄは表２に示すようにそれぞれ０．９と０．７５で決して、十分とは言えない。よって、
本実施例では単位面積当たりに打ち込むインクの打ち込み量を増加させることで最高濃度の底上げを行う
最高濃度をベタ３００％印字すると、表２に記す通りＣでＯ．Ｄ１．６２、ＭでＯ．Ｄ１．４２まで前記３倍インクで達成できる。Ｙは前記の通りインクを希釈しないので、前記表３の組み合わせのインクで記録明度、特にハイライト部で粒状感として問題となる記録ドット明度をＣ，Ｍ，Ｙ通して３５以下、画像最高記録濃度はＣ，Ｍ，Ｙと通して１．４１以上が達成できる
【００７６】
なお、無彩色のＫ（ブラック）インクでは表３の染料濃度では記録明度２８．５であり６０を大きく下回っているが、ＫはＣ，Ｍ，Ｙインクを用いて薄いグレーを合成することができることと、性質的に無彩色のＫは有彩色のカラー色相とは異なり、粒状感よりも黒文字や黒罫線を高コントラストで出力することが求められる色であり、必ずしも記録明度６０以上を求められはしない。よって、本実施例ではＫは高濃度のインクのままとするが、もちろん記録明度６０以上、あるいは低階調の無彩色はＣ，Ｍ，Ｙインクの合成で記録することを考慮して記録明度６０以下ではあるが現状の２８．５よりも希釈したＫインクを用いる方式であってももちろんよい
【００７７】また、
Ｒ（レッド）、Ｇ（グリーン）、Ｂ（ブルー）の２次色などについては濃度、明度について言及していないが、例えば低階調部の２次色領域では画素単位では２つの色のドットを重複させずに面として２次色を生成するなど、１次色（Ｃ，Ｍ，Ｙ）の濃度、明度が高画質階調再現できる仕様であれば、その組み合わせで作る２次色以降の色についても高画質階調再現が可能であることは当業者であれば容易に理解できる
【００７８】３００％ベタ印字の方法も、例えば３６０ｄｐｉ画素に複数バスで印字を行うことによる４値記録（画素単位で印字しない、１ドット印字、２ドット印字、３ドット印字などの印字方法）の方法や、例えば横解像度を１０８０ｄｐｉとして単位面積当たりのインクの打ち込み量を３６０ｄｐｉ時の３倍にすることで３００％ベタ印字を行うなど、やはり当業者であれば複数の実現手段があることは容易に理解できよう。
【００７９】前記のように、有彩色を記録する全ての記録色材の記録明度を６０以上（Ｌ＊≧６０）とすることで、前述の低階調部から高階調部まで全ての中間調再現域において違和感のない階調のつなぎと広い階調再現範囲をもつ高画質階調再現を実現した記録装置を同一色相で明度の異なる複数のインク（色材）を容易に提供できる。」
　
（４）「【００８０】実施例２
次に、さらに高画質な階調記録が可能な他の例について説明する。
実施例１では、ほぼ同一色相のインク１種類ずつで高画質階調記録を行うことが可能なインク組成の例について説明した。これは、前記の通り高画質階調記録は可能であるが高濃度画像の出力を実現するために対象記録媒体の許容受容範囲内で単位面積当たり多くのインクを打ち込む仕様であった。しかし、インクの打ち込み量を多くすると使用インク量が増大してランニングコストが増大する。また、インクタンクの交換頻度が増すなど操作上の煩わしさが増す。さらには、ページ当たりの印字ドット数が増大するので記録ヘッドの寿命も短命化してしまうなど、特に大量の印刷行う現場では無視できない差となって現れる
【００８１】しかし、
本実施例では単位面積当たりの打ち込みドット数を低減し上記問題を抑制した記録装置を実現する
本実施例では高画質階調記録が実現できる条件の下で、かつ、ベタ１００％印字で最高濃度が達成できるようにほぼ同一色相に明度の異なる複数の記録明度インクを設定する
【００８２】
高画質階調記録を実現する条件とは、前述したように低階調部から高階調部まで全ての中間調再現域にいおいて違和感のない階調のつなぎが達成でき、広い階調再現範囲を有すること
同一色相の階調記録を行う場合に打ち込むドットの記録明度と周囲明度との明度差が３５以内（最高明度の色材による記録明度と記録媒体の明度差が３５以内であることを含む）で、最高濃度はインクジェット用の専用用紙では光学反射濃度（Ｏ．Ｄ）で１．４以上、一般的なコピー用紙であれば１．０とする
【００８３】
インクの選定はまずベタ１００％印字で光学反射濃度が１．４以上を実現できる範囲から選択する
【００８４】
次に、上記濃インクでは改善できない高画質階調再現、すなわちハイライト部などでの粒状感のない滑らかな階調つなぎの方法を考える
記録明度の記録ドットを印字しても粒状感が目立たないためには背景（すなわち既に記録した画像）との明度差が３５以内（望ましくは２５以内）でなくてはならない
濃インクよりも濃度の低いインク（便宜上淡インクと称す）の明度はＣ，Ｍそれぞれ８７．１，８１．２以下の範囲で選択できる（望ましくは明度差２５以内であるのでＣ７７．１以内、Ｍ７１．２以内の記録明度である方がより好ましい）
淡インクでの記録明度は濃インクでの記録明度との明度差のほか、記録媒体との明度差も考慮しなくてはならない
最大明度９５
濃インク記録明度と記録媒体明度の中間に淡インクの記録明度を設定することで双方との明度差を許容範囲内に設定できる
Ｃの淡記録明度が７３．０、Ｍの淡記録明度が６５．０となる
Ｙは濃インクで濃度、明度双方を満足しているので淡インクを設定する必要はない
【００８５】上記濃インク、淡インクの設定で、Ｃ画像に関しては媒体と淡記録画増間の明度差が２２（９５−７３）、淡記録画像と濃記録画像間の明度差が２０．９（７３．０−５２．１）、そして最大記録濃度（光学反射濃度Ｏ．Ｄ）が１．５０となる。また、Ｍ画像に関しては媒体と淡記録画像間の明度差が３０、淡記録画像と濃記録画像間の明度差が１８．８、そして最大記録濃度（光学反射濃度Ｏ．Ｄ）が１．４２となる。またＹ画像に関しては媒体とＹ画像間の明度差が６．２、そして最大記録濃度（光学反射濃度Ｏ．Ｄ）が１．４１となる。全ての記録画像に関して前述の高画質階調記録の条件を満足させることができている。Ｃ，Ｍ淡インク組成を表４に記す。
【００８６】
【表４】
┌−−−−−−−−┬−−−−−┬−−−−−┬−−−−−┬−−−−−┐
｜　　　　　　　　｜　　Ｋ　　｜　　Ｃ　　｜　　Ｍ　　｜　　Ｙ　　｜
├−−−−−−−−┼−−−−−┼−−−−−┼−−−−−┼−−−−−┤
｜染料　　　　　　｜　３．５％｜　０．９％｜　１．２％｜　３．０％｜
├−−−−−−−−┼−−−−−┼−−−−−┼−−−−−┼−−−−−┤
｜グリセリン　　　｜１５．０％｜１５．０％｜１５．０％｜１５．０％｜
├−−−−−−−−┼−−−−−┼−−−−−┼−−−−−┼−−−−−┤
｜アセチレノール　｜　１．０％｜　１．０％｜　１．０％｜　１．０％｜
├−−−−−−−−┼−−−−−┼−−−−−┼−−−−−┼−−−−−┤
｜尿素　　　　　　｜　７．５％｜　７．５％｜　７．５％｜　７．５％｜
├−−−−−−−−┼−−−−−┼−−−−−┼−−−−−┼−−−−−┤
｜純水　　　　　　｜７３．０％｜７５．６％｜７５．３％｜７３．５％｜
└−−−−−−−−┴−−−−−┴−−−−−┴−−−−−┴−−−−−┘
Ｍの階調再現を考えると、媒体とＭ淡画像間の明度差が、Ｍ淡とＭ濃画像間の明度差より明度差で１０以上大きく、Ｍ淡インクはもう少し明度が高い方がより好ましい場合が多いので、Ｍ淡インクの染料濃度を調整してもよいが、上記設定でも前記高画質階調記録の条件に入っているので問題はない。
【００８７】本実施例では、記録画像の最高濃度１．４以上と定めた点と、記録媒体を一般的なコピー用紙とインクジェット専用記録紙と定めた点と、インクを表１で定めた組成としたことなどの前提で、Ｃ，Ｍ，Ｙのインクの種類がたまたまＣ，Ｍが２種類、Ｙが１種類となったが、この前提を変えればインクの種類はいろいろな組み合わせで各々必要な種類数がまた別に決まってくる。前提がどうあれ、媒体間、各々のインク間の記録明度差が３５以上（望ましくは２５以内）の条件でインク組成（色材組成）を調整することで本発明の効果である高画質階調記録は実現されるものであり、本発明が本実施例の前提条件、および該条件の下での最適組み合わせの一例に限定されるものではもちろんない。但し、
明度はその定義上最大値が１００であり、記録装置が記録媒体に印字する系であれば、事実上存在する記録媒体の明度の最大値はおよそ９５程度と判断できる。よって最大の記録明度として６０以上の明度の記録ができる色材（淡色材）を有することで、殆どの場合記録媒体と淡色材による記録画像間での粒状感は抑制できる
【００８８】また、
実施例ではインクの組み合わせはＣ，Ｍ，ＹおよびＫからなる組み合わせで例示したが、例えばＲ，Ｇ．Ｂの組み合わせであっても、また別の組み合わせであっても、さらには色相的には１種類のモノカラーの記録装置にあっても、高画質階調記録を行う上で本発明は適用できる
【００８９】前述の「同一色相で明度が異なる色材（インク）」とは、同一色相の階調記録時に、主に低階調部（ハイライト部）の記録を行うときに用いる高明度色材と、主に高階調部（ダーク部）の記録を行うときに用いる低明度色材を、同一色相で明度が異なる色材を称している。よって、同一色相の階調記録時に用いる明度の異なるインクとは必ずしも２種類と限定されるものではない。同一色相の記録を行う明度の異なる色材を３種以上有する場合の構成および作用効果は前記実施例と同様であるので説明は省略する。」
　
第４　対比
　本願発明と引用発明とを対比する。
　１　引用発明の「シアン」、「マゼンタ」、「イエロー」、「『イエロ−、マゼンタ、シアンの色インク』の『濃インク』」、「ドットを打つ」、「ブラックインク」、「カラーの階調画像を形成する」、「インクジェットプリンタのマルチノズルヘッド」、「『出力部』が『マルチノズルヘッドに出力』する『２値信号』」、「画像処理装置」、「画像デ−タを入力する入力部」、「入力部に入力された画像デ−タを展開し濃淡インク毎のドットを打つか否かの２値デ−タを生成するドット展開部と、かかる２値デ−タを記憶するバッファメモリ」、「バッファメモリ内の２値信号を前記マルチノズルヘッドに出力し、所定のノズルからインクを吐出させ画像を形成させる出力部」、「『ブラックインク』の『濃インク』」、「『ブラックインク』の『淡インク』」及び「ドットを打つか否かの２値デ−タを生成する」は、それぞれ、本願発明の「シアン」、「マゼンタ」、「イエロ」、「シアン、マゼンタ、イエロの有彩色インク」、「『インクドット』を『形成』する」、「無彩色のインク」、「カラー画像を印刷する」、「印刷部」、「制御信号」、「印刷制御装置」、「カラー画像の画像データを受け取る画像データ受取手段」、「受け取った画像データに基づいて、前記各色のインクドットの形成有無を判断するドット形成判断手段」、「ドット形成判断手段の判断結果を、前記制御信号として前記印刷部に出力する制御信号出力手段」、「第１の無彩色のインク」、「第２の無彩色インク」及び「ドット形成の有無を判断する」に相当する。
　２　引用発明の「印刷制御装置（画像処理装置）」は、イエロー、マゼンタ、シアン、ブラックのインクを用いて「カラー画像を印刷する（カラーの階調画像を形成する）印刷部（インクジェットプリンタのマルチノズルヘッド）」に信号を送るものであり、「印刷制御装置」を構成する「出力部」に、「制御信号（濃淡インク毎のドットを打つか否かの２値データであるバッファメモリ内の２値信号）」を前記「印刷部」に出力させ、所定のノズルからインクを吐出させ画像を形成させるものであるから、「カラー画像を印刷する印刷部に、該各色のインクドットの形成を制御するための制御信号を出力して、該印刷部を制御する」点で、本願発明の「印刷制御装置」と一致する。
　３　引用発明は「イエロー、マゼンタ、シアンのいわゆる色インク濃度が等しい場合、それを単色のブラックに置き換えるいわゆる下色除去を行な」うものであるから、引用発明の「シアン、マゼンタ、イエロの有彩色インク」と本願発明の「シアン、マゼンタ、イエロの有彩色インク」とは「互いに組み合わせて用いることにより無彩色を表現可能な」インクである点で一致する。
　４　引用発明において、明度が最も高い０階調から明度が最も低い２５５階調までの下色除去で置き換えられたブラックの画像データの０〜５１階調にはブラックインクの濃インクは用いられずに淡インクのみによるドットパターンが対応づけられ、同画像データの５２階調からブラックインクの濃インクも用いるドットパターンが対応づけられ、５２階調から２５５階調へ明度が低い画像データになるにしたがい濃インクによるドットの数が多いドットパターンが対応づけられるようになっているから、そのブラックインクの淡インクはブラックインクの濃インクよりも明度が高いことが明らかである。
　このことと、引用発明の「ドット形成判断手段（ドット展開部）」は、「『同一色について２種類の濃度の異なる濃淡インクを用いて』いる『イエロー、シアン、マゼンタ、ブラックの４色のインク』の『濃淡インク毎のドット形成の有無を判断する』」ものであることとから、引用発明の「ドット形成判断手段（ドット展開部）」と本願発明の「ドット形成判断手段」とは、「前記シアン、マゼンタ、イエロの各色インクのインクドットと、第１の無彩色のインクのインクドットと、該第１の無彩色インクよりも明度の高い第２の無彩色インクのインクドットとについて、ドット形成の有無を判断する手段」である点で一致する。
　５　引用発明は、「画像データ受取手段（画像デ−タを入力する入力部）」と、「ドット形成判断手段（入力部に入力された画像デ−タを展開し濃淡インク毎のドットを打つか否かの２値デ−タを生成するドット展開部と、かかる２値デ−タを記憶するバッファメモリ）」と、「制御信号出力手段（バッファメモリ内の２値信号を前記マルチノズルヘッドに出力し、所定のノズルからインクを吐出させ画像を形成させる出力部）」とから構成されているから、「画像データ受取手段と、ドット形成判断手段と、制御信号出力手段とを備えているといえる。
　６　以上１ないし５から、本願発明と引用発明とは、
「互いに組み合わせて用いることにより無彩色を表現可能なシアン、マゼンタ、イエロの有彩色インクによるインクドットと、無彩色のインクによるインクドットとを形成してカラー画像を印刷する印刷部に、該各色のインクドットの形成を制御するための制御信号を出力して、該印刷部を制御する印刷制御装置であって、
　前記カラー画像の画像データを受け取る画像データ受取手段と、
　前記受け取った画像データに基づいて、前記各色のインクドットの形成有無を判断するドット形成判断手段と、
　前記ドット形成判断手段の判断結果を、前記制御信号として前記印刷部に出力する制御信号出力手段と
　を備え、
　前記ドット形成判断手段は、前記シアン、マゼンタ、イエロの各色インクのインクドットと、第１の無彩色のインクのインクドットと、該第１の無彩色インクよりも明度の高い第２の無彩色インクのインクドットとについて、ドット形成の有無を判断する手段である印刷制御装置。」の点で一致し、次の点で相違する。 
　
相違点１：
　前記イエロインクは、本願発明においては、「前記シアン，マゼンタおよび第２の無彩色インクより明度が高」いのに対して、引用発明においてはそうなっているかどうか明らかでない点。
　
相違点２：
　前記第１の無彩色のインクは、本願発明においては「前記シアンおよびマゼンタインクより明度が低」いのに対して、引用発明においてはそうなっているかどうか明らかでない点。
　
相違点３：
　前記第２の無彩色インクは、組合せにより無彩色を表現している前記シアン、マゼンタ、イエロの各色インクの中で最もインク量の少ない有彩色インクと等量のインクで画像を形成したときに、本願発明においては「該シアン、マゼンタ、イエロの各色インクで表現された該無彩色の画像の明度よりも、明度の高い画像が形成される」インクであるのに対して、引用発明においてはそのようになるインクかどうか明らかでない点。
　
第５　判断
　上記相違点１ないし３について検討する。
　１　上記「第３　２」の（１）及び（２）の記載からみて、引用例２には、次の技術事項が記載されている。
（１）カラー記録が可能なインクジェット（ＩＪ）記録方式では、ディザマトリックス法などの擬似階調方式で、中間調の記録を面積階調によって表現している。ディザマトリックス方法では、低階調の画像部（ハイライト部）でドットの粒状感が違和感として生じる。粒状感はドット濃度に起因して生じるので、粒状感が目立たないように薄い淡インクを用いて記録するが、むやみにインクを希釈して用いたのではハイライト部の粒状感は緩和できてもダーク部での最高濃度を満足できずに画像全体として高画質化は望めない。また、同色系統の複数の濃度のインクを記録インクとして用いる、いわゆる濃淡インク記録の方法がある。これは、十分に薄いインクと十分に濃いインクを用いることでハイライト部の粒状感とダーク部の最高濃度を双方満足する記録方法であるが、この場合には階調再現において淡インク記録から濃インク記録への切り替わり部で粒状感が生じてしまう。すなわち十分に薄い淡インクで記録したハイライト画像の中に十分に濃い濃インクのドットを打ち込むと淡インク画像と濃インクドットのコントラストの差で粒状感が目立ってしまい、濃淡記録を行った効果が得られなくなる。
（２）高画質な階調記録のためには、低中間調画像部（ハイライト部）から高中間調画像部（ダーク部）まで広い階調再現範囲と違和感のない階調のつなぎを実現することが重要である。ここで、広い階調再現範囲とは、再現可能な最高画像濃度が高いことであり、また、違和感のない階調のつなぎとは、周囲画像とのコントラストの差で定義できる。
（３）上記（２）のとおり記録媒体に記録ドットを印字する場合、記録媒体と印字ドットのコントラストがある一定以上となると画像にぼつぼつ感、ざらざら感（これを粒状感と称す）が気にかかり出す。コントラストの指標の一つとして明度差をあげることができ、明度差が２５を超えると粒状感が意識され始め、３５を超えると顕著に粒状感が感じられる。９０前後である明度の記録媒体上に直接記録してもそのドットの粒状感が目立たないようにするためにはインクの記録明度は６５以上であることが望ましい。よって、最も淡いインク（淡インク）による記録明度は６５となるような記録インク（色材）を用いる。
（４）上記（２）のとおり広い階調再現範囲を実現するために最高画像濃度を一定値以上と設定する必要があるが、光学反射濃度（Ｏ．Ｄ）で１．４以上であることが望ましい。
（５）上記（３）及び（４）を満たす、Ｙ（イエロー）、Ｍ（マゼンタ）、Ｃ（シアン）系のインクを用いてフルカラーを記録する系として、次の設定例が記載されている。
　Ｙインクは上記明度６５以上のインクで濃度１．４が実現できる色相のインクなので、Ｙ色材は明度８５のインク１種類とする。Ｍ，Ｃインクは明度６５に調整したインクではＯ．Ｄ１．４を達成できないのでこの明度６５の記録明度となるＭ，Ｃ色材（淡インク）を１種類と、さらにＯ．Ｄ１．４を達成できるＭ，Ｃ色材（濃インク）を設定する。ここで、中間調記録ではハイライト部（低階調部）は上記淡インクで記録を行い、ダ−ク部（高階調部）記録に移るにしたがって濃インクによる記録を混在させて中間調記録を行う。濃インクを混在させた場合にこの濃インクによるドットの粒状感を目立たなくするためには淡インク記録部の明度と濃インク記録部の明度の明度差を前記同様望ましくは２５以内、最大でも３５以内になるように濃インクの明度（インク濃度）を決定する必要がある。
　
　２　上記「第３　２」の（３）の記載からみて、引用例２には、実施例１として、単位面積当たりに打ち込むインクの打ち込み量を増加させることで最高濃度の底上げを行って上記１（３）及び（４）を満たしたインクジェット記録装置に関して、次の技術事項が記載されている。
（１）Ｙインクの染料濃度（重量％）が３．０％で、他のＫ，Ｃ，Ｍインクの染料濃度は３．５％となっているインクジェット専用紙で１００％ベタ印字を行った場合の光学反射濃度（Ｏ．Ｄ）が１．４以上となるインク組成のインクで前記インクジェット専用紙に記録を行った場合のＯ．Ｄと記録明度の関係は、１００％ベタ印字時の各色の記録Ｏ．Ｄは、Ｃインクが１．５０、Ｍインクが１．４２、Ｙインクが１．４１で、いずれも１．４を超えているが、記録明度はＹが８８．８と十分に高い明度を示しているのに比べ、Ｃが５２．１、Ｍが４６．２といずれも６０を下回っている。ここで、染料濃度を３分の１に低下させることによって記録明度（斜線右下）を上げ、粒状感も低減できるが、希釈倍率を上げればそれに応じて１００％ベタ記録時の濃度が落ちて、結果として階調再現の総合画像品位としてはトレードオフとなる。
（２）本実施例では、上記（１）において、記録媒体との明度差を３５以内とするため各色の記録明度が６０以上になるようにＹ，Ｍ，Ｃのインクの染料濃度を決定して、Ｙはインクを希釈しないで記録明度を８８．８とし、最高濃度をベタ１００％印字してＯ．Ｄ１．４１を達成、Ｃ，Ｍは希釈倍率を３倍とし記録明度をＣで６９．１、Ｍで６５．０とした３倍インクで最高濃度をベタ３００％印字してＣでＯ．Ｄ１．６２、ＭでＯ．Ｄ１．４２を達成して、階調再現性の品質を左右するハイライト部での粒状感と最高画像濃度のバランスを定量的に判断し解を導いた。
（３）無彩色のＫ（ブラック）インクについては、次のアないしウのいずれの方式でもよい。
　ア　ＫはＣ，Ｍ，Ｙインクを用いて薄いグレーを合成することができることと、性質的に無彩色のＫは有彩色のカラー色相とは異なり、粒状感よりも黒文字や黒罫線を高コントラストで出力することが求められる色であり、必ずしも記録明度６０以上を求められはしないから、記録明度２８．５の６０を大きく下回っている高濃度のインクのままとする。
　イ　もちろん記録明度６０以上のインクとする。
　ウ　あるいは低階調の無彩色はＣ，Ｍ，Ｙインクの合成で記録することを考慮して記録明度６０以下ではあるが現状の２８．５よりも希釈したＫインクを用いる。
（４）１次色（Ｃ，Ｍ，Ｙ）の濃度、明度が高画質階調再現できる仕様であれば、例えば低階調部の２次色領域では画素単位では２つの色のドットを重複させずに面として２次色を生成するなど、その組み合わせで作るＲ（レッド）、Ｇ（グリーン）、Ｂ（ブルー）などの２次色以降の色についても、高画質階調再現が可能な濃度、明度のものにできる。
　
　３　上記「第３　２」の（４）の記載からみて、
（１）上記２の実施例１は、ほぼ同一色相のインク１種類ずつで高画質階調記録を行うことが可能なインク組成の例であるが、これは、高画質階調記録は可能であるが高濃度画像の出力を実現するために対象記録媒体の許容受容範囲内で単位面積当たり多くのインクを打ち込む仕様であった。しかし、インクの打ち込み量を多くすると使用インク量が増大してランニングコストが増大する。また、インクタンクの交換頻度が増すなど操作上の煩わしさが増す。さらには、ページ当たりの印字ドット数が増大するので記録ヘッドの寿命も短命化してしまうなど、特に大量の印刷行う現場では無視できない差となって現れる場合もある。
（２）これに対して、単位面積当たりの打ち込みドット数を低減し上記（１）の問題を抑制した実施例２も引用例２に記載されており、この実施例２は上記１（５）で述べた設定例に対応しており、以下の技術事項がこの実施例２に関して引用例２に記載されている。
　ア　本実施例では高画質階調記録が実現できる条件の下で、かつ、ベタ１００％印字で最高濃度が達成できるようにほぼ同一色相に明度の異なる複数の記録明度インクを設定する。
　イ　本実施例では、ほぼ同一色相の階調記録を行う場合に打ち込むドットの記録明度と周囲明度との明度差が３５以内（最高明度の色材による記録明度と記録媒体の明度差が３５以内であることを含む）で、最高濃度は光学反射濃度（Ｏ．Ｄ）で１．４以上とする。
　ウ　インクの選定はまずベタ１００％印字で光学反射濃度が１．４以上を実現できる範囲から選択する。
　エ　次に、記録明度の記録ドットを印字しても粒状感が目立たないために背景（すなわち既に記録した画像）との明度差が３５以内になるように、明度がＣ，Ｍそれぞれ８７．１，８１．２以下の範囲で濃インクよりも濃度の低いインク（便宜上淡インクと称す）を、記録媒体との明度差も考慮し、選択する。濃インク記録明度と記録媒体明度の中間に淡インクの記録明度を設定することで双方との明度差を許容範囲内に設定できる。Ｙは濃インクで濃度、明度双方を満足しているので淡インクを設定する必要はない。
　オ　インクの組み合わせは、例えばＲ，Ｇ，Ｂの組み合わせであっても、また別の組み合わせであっても、さらには色相的には１種類のモノカラーの記録装置にあっても、高画質階調記録を行う上で本発明は適用できる。
　
　４　引用例２において、上記３（２）で述べた実施例２については、実施例１に関連して上記２（３）で述べたような無彩色のＫ（ブラック）インクについての記載はないが、実施例２は上記３（２）で述べたように実施例１の上記３（１）の問題を抑制した実施例であって、実施例１を前提にしているものである。他方、実施例１においては、無彩色のＫ（ブラック）インクについては、「薄いグレーはＣ，Ｍ，Ｙインクを用いて合成し、Ｋは記録明度２８．５の６０を大きく下回っている高濃度のインクのままとする。」（上記２（３）ア参照。）、「Ｋは記録明度６０以上のインクとする。」（上記２（３）イ参照。）及び「低階調の無彩色はＣ，Ｍ，Ｙインクの合成で記録し、Ｋは記録明度６０以下ではあるが現状の２８．５よりも希釈したインクを用いる。」（上記２（３）ウ参照。）のいずれの方式でもよいのである。よって、無彩色のＫ（ブラック）インクを「記録明度６０以上のインク」とした実施例１を前提にすると、この場合上記３（１）の問題は無彩色のＫ（ブラック）インクについても当てはまるから、実施例２は無彩色のＫ（ブラック）インクについても単位面積当たりの打ち込みドット数を低減してこの問題を抑制するために、次のようになすことは当業者に自明の事項である。
　ア　高画質階調記録が実現できる条件の下で、かつ、ベタ１００％印字で最高濃度が達成できるように無彩色のＫ（ブラック）インクに明度の異なる複数の記録明度インクを設定する。（上記３（２）ア参照。）
　イ　無彩色のＫ（ブラック）の階調記録を行う場合に打ち込むドットの記録明度と周囲明度との明度差が３５以内（最高明度の色材による記録明度と記録媒体の明度差が３５以内であることを含む）で、最高濃度は光学反射濃度（Ｏ．Ｄ）で１．４以上とする。（上記３（２）イ参照。）
　ウ　インクの選定はまずベタ１００％印字で光学反射濃度が１．４以上を実現できる範囲から選択する。（上記３（２）ウ参照。）
　エ　次に、記録明度の記録ドットを印字しても粒状感が目立たないために背景（すなわち既に記録した画像）との明度差が３５以内になるように、濃インクよりも濃度の低いインク（便宜上淡インクと称す）を、記録媒体との明度差も考慮し選択する。濃インク記録明度と記録媒体明度の中間に淡インクの記録明度を設定することで双方との明度差を許容範囲内に設定できる。（上記３（２）エ参照。）
　
　５　引用発明において、イエロー、シアン、マゼンタ、ブラックの４色のインクは、同一色について２種類の濃度の異なる濃淡インクが用いられており、ブラックインクの淡インクは、色インクの淡ドットを下色除去で置き換えて補うものであって、画像データの０〜５１階調のブラックインクは淡インクのみであるから、引用発明と引用発明と同様に濃淡インクを用いる引用例２に記載された実施例２とを対比すると、引用発明の「ブラックの淡インク」及び「ブラックの濃インク」は、それぞれ、上記４で述べた引用例２に記載された実施例２における無彩色のＫ（ブラック）インクのうちの「濃インク」及び「淡インク」に相当する。
　
　６　引用発明は、引用例２に記載されている「高画質カラー記録が可能なインクジェット記録装置」と同様の「イエロー、マゼンタ、シアン、ブラックのインクを用いてカラーの階調画像を形成するインクジェットプリンタ」に関するものであるから、粒状感が目立たないようにするといった周知の課題（例．特開平１０−４４４７５号公報（１頁【課題】参照。）、特開平１０−１５７１６７号公報（【０００３】参照。）以下「周知技術」という。）を有していることは当業者に自明である。
　
　７　また、引用発明において、引用発明が有していることが自明である「粒状感が目立たないようにする」という課題を解決するために、引用発明と同様に濃淡インクを用いる引用例２に記載された実施例２の技術を採用することには十分な動機付けがあるといえる。
　
　８　上記１ないし７からして、引用発明に引用例２に記載された実施例２の技術を採用し、無彩色のＫ（ブラック）の階調記録を行う場合に打ち込むドットの記録明度と周囲明度との明度差が３５以内（最高明度の色材による記録明度と記録媒体の明度差が３５以内であることを含む）で、最高濃度は光学反射濃度（Ｏ．Ｄ）で１．４以上となるように、ブラックの濃インクの記録明度を引用例２に記載されている記録明度である「２８．５」（上記「第３　２（３）」の段落【００７６】参照。）程度とし、ブラックの淡インクの記録明度を明度差が３５以内になるように「６０以上６３．５以下」程度となし、イエローインクは濃インクで濃度、明度双方を満足しているので淡インクを設定する必要がないから記録明度「８８．８」程度の一種類のインクとし（上記「第３　２（４）」の段落【００８４】参照。）、シアンの濃インク及びマゼンタの濃インクの記録明度をそれぞれ「５２．１」及び「４６．２」（上記「第３　２（４）」の段落【００８４】参照。）程度とし、シアンの淡インク及びマゼンタの淡インクの記録明度をそれぞれ「７３．０」及び「６５．０」（上記「第３　２（４）」の段落【００８４】参照。）程度とすることは、引用例２に記載された事項及び周知技術に基づいて当業者が容易になし得た程度のことである。
　
　９　その結果、イエロインクの記録明度は８８．８程度であるから、これは、シアンの濃インクの記録明度５２．１程度、マゼンタの濃インクの記録明度４６．２程度およびブラックの淡インクの記録明度「６０以上６３．５以下」程度より明度が高く、ブラックの濃インクの記録明度２８．５は、前記シアンの濃インクおよびマゼンタの濃インクより明度が低いといえる。
　よって、引用発明において、上記相違点１及び２に係る本願発明の構成となすことは、引用例２に記載された事項及び周知技術に基づいて当業者が容易になし得た程度のことである。
　
　１０　第２の無彩色インクの明度についての検討
（１）ところで、引用例１には「イエロー、マゼンタ、シアンのいわゆる色インク濃度が等しい場合、それを単色のブラックに置き換えるいわゆる下色除去」（上記「第３　１（１）」参照。）と記載されているから、イエロー、マゼンタの濃インク、シアンの濃インクの色インクは、３つのインクのインク量がほぼ等しい場合に単色のブラックの濃インクに置き換えなくとも混色により濃ブラックの無彩色を表現できるようなインクということができ、イエローインクは一種類のインクとするから、マゼンタの淡インク、シアンの淡インクとインク量がほぼ等しい場合にも単色のブラックの淡インクに置き換えなくとも混色により淡ブラックの無彩色を表現できるようなインクということができるから、混色により濃ブラックの無彩色を表現しているイエロー、マゼンタの濃インク、シアンの濃インクの各色インクの中で最もインク量の少ない有彩色インクをマゼンタの濃インク又はシアンの濃インクとなすことは十分にあり得ることであり、混色（減色混合）により得られる画像の明度が、各インク単体の記録明度より低くなる（請求人も平成２１年７月２７日付け意見書の【意見の内容】（３）［２］２「（ニ）の誤りについて」において認めている。）のであればなおさら、上記８で述べたように引用発明に引用例２に記載された実施例２の技術を採用した結果、混色により濃ブラックの無彩色を表現しているイエロー、マゼンタの濃インク、シアンの濃インクの各色インクの中で最もインク量の少ないマゼンタの濃インク又はシアンの濃インクと等量のブラックの淡インクで画像を形成したときに、該イエロー、マゼンタの濃インク、シアンの濃インクの各色インクで表現された該無彩色（濃ブラックの無彩色）の画像の明度よりも、明度の高い画像が形成されることも十分にあり得ることである。
（２）他方、本願明細書には、本願発明の「前記第２の無彩色インクは、組合せにより無彩色を表現している前記シアン、マゼンタ、イエロの各色インクの中で最もインク量の少ない有彩色インクと等量のインクで画像を形成したときに、該シアン、マゼンタ、イエロの各色インクで表現された該無彩色の画像の明度よりも、明度の高い画像が形成されるインクである」との発明特定事項に関して、次の記載がある。
　ア　「【００１１】かかる印刷制御装置においては、次のようなインクを前記第２の無彩色インクとしても良い。すなわち、組合せにより無彩色を表現している前記複数の有彩色インクの中で最もインク量の少ない有彩色インクと等量のインクで画像を形成したときに、該有彩色インクで表現された該無彩色の画像の明度よりも、明度の高い画像が形成されるインクを、前記第２の無彩色インクとしても良い。
【００１２】かかる第２の無彩色インクのインクドットは、複数の有彩色インクを組み合わせても表現できないような、明度の高い無彩色のインクドットを形成することができる。従って、このような第２の無彩色インクを用いることにより、有彩色インクを組み合わせて印刷した画像よりも、ドットの目立たない高画質のカラー画像を印刷することが可能となる。」
　イ　「【００４９】第１実施例のＬＫインクは、Ｃドット，Ｍドット，Ｙドットを組み合わせて表現した無彩色（以下では、このような無彩色をコンポジットブラックと呼ぶ）の明度を基準として、次のようなインクと言うこともできる。すなわち、ＬＫインクは、コンポジットブラックを表現している各色ドットの中でドット形成量の最も少ないドットと等量のＬＫドットを形成したときに、コンポジットブラックの明度よりも僅かに明度の高い無彩色を表現するようなインクである。
【００５０】もっとも、ＬＫインクはこのような明度のインクに限られるものではなく、Ｋインクよりも明度の高いインクであれば、後述するように種々の明度のインクを用いることができる。」
　ウ　「【００６５】Ａ−３．変形例：以上に説明した第１実施例では、ＬＫインクとして、図５あるいは図６に示したインクを使用している。第１実施例のＬＫインクは、コンポジットブラック（Ｃドット，Ｍドット，Ｙドットを組み合わせて表現した無彩色）の明度を基準とすれば、前述したように、コンポジットブラックを表現する各色ドットの中でドット形成量の最も少ないドットと等量のＬＫドットを形成したときに、コンポジットブラックの明度よりも僅かに明度の高い無彩色を表現するようなインクとなっている。もっとも、ＬＫインクはこのような明度のインクに限られるものではなく、種々の明度のインクをＬＫインクとして使用することができ、ＬＫインクの明度に応じて、種々の効果を得ることができる。以下では、このような第１実施例の各種変形例について簡単に説明する。
【００６６】（１）第１の変形例：第１実施例の第１の変形例は、ＬＫインクとして、コンポジットブラックを表現する各色ドットの中でドット形成量の最も少ないドットと等量のＬＫドットを形成したときに、コンポジットブラックの明度よりも明度の低い（暗い）無彩色を表現するようなインクを使用する。もっとも、かかる第１の変形例のＬＫインクであっても、Ｋインクよりは明度の高い（明るい）インクであることは言うまでもない。
【００６７】このような第１の変形例のＬＫドットを形成すれば、前述した第１実施例のＬＫドットを形成した場合よりも、明度の低下の度合いが大きいので、第１実施例のＬＫドットを形成する場合よりも多くのＣ，Ｍ，Ｙドットの形成を中止することができる。その結果、インクデューティ制限に対して大きな余裕が生まれ、彩度の向上などの画質改善効果を得ることができる。また、第１実施例の変形例のＬＫドットは、前述の第１実施例のＬＫドットよりはドットが目立ち易いが、Ｋドットに比べれば、依然としてドットが目立ち難いので、かかる第１実施例の変形例のＬＫドットを形成することにより、粒状性が改善された高画質の画像を印刷することができる。」
（３）上記（２）のアないしウの記載からみて、
　ア　「第２の無彩色インクを、組合せにより無彩色を表現している複数の有彩色インクの中で最もインク量の少ない有彩色インクと等量のインクで画像を形成したときに、該有彩色インクで表現された該無彩色の画像の明度よりも、明度の高い画像が形成されるインクとする」ことの目的・効果は「複数の有彩色インクを組み合わせても表現できないような、明度の高い無彩色のインクドットを形成する」ことであり、
　イ　これに対し、「第２の無彩色インクを、組合せにより無彩色を表現している複数の有彩色インクの中で最もインク量の少ない有彩色インクと等量のインクで画像を形成したときに、該有彩色インクで表現された該無彩色の画像の明度よりも、明度の低い（暗い）無彩色を表現するようなインクを使用する」ことの目的・効果は「上記アのＬＫドットを形成する場合よりも、明度の低下の度合いが大きいので、多くのＣ，Ｍ，Ｙドットの形成を中止することができ、インクデューティ制限に対して大きな余裕を生み、彩度の向上などの画質改善効果を得る」ことである。
　ウ　また、上記イのＬＫドットは、上記アのＬＫドットよりはドットが目立ち易いが、Ｋドットに比べれば、依然としてドットが目立ち難いので、かかる上記イのＬＫドットを形成することにより、「粒状性が改善された高画質の画像を印刷することができる」ものであるから、第２の無彩色インクを、「組合せにより無彩色を表現している複数の有彩色インクの中で最もインク量の少ない有彩色インクと等量のインクで画像を形成」したときに、「該有彩色インクで表現された該無彩色の画像の明度」よりも、「明度の高い画像が形成されるインク」とするか、「明度の低い（暗い）無彩色を表現するようなインク」とするかは、「粒状性が改善された高画質の画像を印刷することができる」ものにおいて、より「明度の高い無彩色のインクドット」を形成できるようにするか、あるいは、より多くのＣ，Ｍ，Ｙドットの形成を中止することができ、「インクデューティ制限に対して大きな余裕を生み、彩度の向上などの画質改善効果を得る」ことができるようにするか、というトレードオフの関係にあって、当業者が発明の実施に際しどちらにどの程度ウエイトを置くかといった設計上の事項であるものと認められる。
　エ　してみると、本願発明の「前記第２の無彩色インクは、組合せにより無彩色を表現している前記シアン、マゼンタ、イエロの各色インクの中で最もインク量の少ない有彩色インクと等量のインクで画像を形成したときに、該シアン、マゼンタ、イエロの各色インクで表現された該無彩色の画像の明度よりも、明度の高い画像が形成されるインクである」との発明特定事項には、設計上の事項を超える技術上の意義は認められない。
（４）上記（１）及び（３）からみて、引用発明に引用例２に記載された実施例２の技術を採用する際に、引用発明において、「第２の無彩色インク（ブラックインクの淡インク）」を、混色により濃ブラックの無彩色を表現しているイエロー、マゼンタの濃インク、シアンの濃インクの各色インクの中で最もインク量の少ない有彩色インクと等量のブラックの淡インクで画像を形成したときに、該イエロー、マゼンタの濃インク、シアンの濃インクの各色インクで表現された該無彩色の画像の明度よりも、明度の高い画像が形成されるインクとなすこと、すなわち、本願発明の「組合せにより無彩色を表現している前記シアン、マゼンタ、イエロの各色インクの中で最もインク量の少ない有彩色インクと等量のインクで画像を形成したときに、該シアン、マゼンタ、イエロの各色インクで表現された該無彩色の画像の明度よりも、明度の高い画像が形成されるインクである」との事項を備えた「第２の無彩色インク」となすことは、引用例２に記載された事項及び周知技術に基づいて、引用発明に引用例２に記載された実施例２の技術を採用する際に、当業者が適宜決定すべき設計上の事項である。
（５）以上のとおりであるから、引用発明において、上記相違点３に係る本願発明の構成となすことは、引用例２に記載された事項及び周知技術に基づいて当業者が容易になし得た程度のことである。
　
　１１　請求人の主張について
（１）請求人は、平成２１年７月２７日付け意見書において、「引用例２は、同じ色相の色材について２段階以上の濃度のものがある場合の記録明度については言及していますが、異なる色相の色材による記録明度については何ら検討していません。更に言えば、引用例２では、ブラックについては、１種類の濃度のインクしか想定していません。引用例２では、シアンとマゼンタについては、表２に見られるように、わざわざ濃度を２倍や３倍に希釈したインクを用いた場合の記録明度について示し、イエロについては、濃度１倍のものしか想定していないにもかかわらず、表２に掲げているのに対して、ブラックについては、表２に何ら記載されていません。つまり引用文献２では、ブラックについては、濃淡インクの２段階を想定していないことは明らかです。」（意見書の（３）［２］２（Ｃ）「（ハ）の誤りについて」参照。）といった主張をしているが、上記４で述べたとおり、引用例２の実施例２において、上記４で述べたアないしエのようになすことは当業者に自明の事項である。よって、この請求人の主張は採用できない。
　したがって、「引用例２では、そもそも上記の通り、ブラックについては、１種類の濃度のインクしか想定されていないので、ブラックの淡インクによる記録明度を他の色相のインクによる記録明度と比較することはあり得ないというべきです。」との請求人の主張も採用できない。
（２）請求人は、同意見書において、「引用例２の段落００４９などの記載から、濃度が２段階以上のある場合の各濃度のインクによる記録明度の差については、同一の色相の中の隣接する段階の濃度のことを問題としており、色相が異なるインクの異なる濃度の間の記録明度については何ら規定も検討もしていないことは明らかです。」（意見書の（３）［２］２（Ｃ）「（ハ）の誤りについて」参照。）といった主張もしているが、引用例２に記載されている、良好な階調再現記録が可能な階調記録装置（上記第３の２（１）【０００１】参照。）は、写真などの中間調画像の出力やカラー画像の出力をする（上記第３の２（１）【０００２】参照。）際に、十分に薄い淡インクで記録したハイライト画像の中に十分に濃い濃インクのドットを打ち込むと淡インク画像と濃インクドットのコントラストの差で粒状感が目立ってしまい、濃淡記録を行った効果が得られなくなる（上記第３の２（１）【０００８】参照。）といった課題を解決するもの（上記第３の２（１）【０００９】参照。）であって、モノカラーの記録装置にあっては（上記第３の２（４）【００８８】参照。）「同一の色相の中の隣接する段階の濃度」の問題になるとしても、上記「写真などの中間調画像の出力やカラー画像」や「記録明度の記録ドットを印字しても粒状感が目立たないためには背景（すなわち既に記録した画像）との明度差が３５以内（望ましくは２５以内）でなくてはならない。」（上記第３の２（４）【００８４】参照。）としている「記録した画像」とは、そのようなモノカラーのことのみをいっているのではないことが明らかであるから、引用例２において問題としているのは、同一の色相の中の隣接する段階の濃度のことのみではなく、「色相が異なるインクの異なる濃度の間の記録明度については何ら規定も検討もしていないことは明らかです。」との主張も採用できない。
（３）また、請求人は、同意見書の（３）［２］２（Ｃ）「（ニ）の誤りについて」において、「本願請求項１記載の発明が問題にしたのは、そもそ各カラーインクの明度と第２の無彩色インクの明度との比較ではなく、『組合せにより無彩色を表現している前記シアン、マゼンタ、イエロの各色インクの中で最もインク量の少ない有彩色インクと等量のインクで画像を形成したときに、該シアン、マゼンタ、イエロの各色インクで表現された該無彩色の画像の明度』との関係において、第２の無彩色インクは、これより明度の高い画像が形成されるインクである、という関係です。…略…かかる画像の明度と比較して、第２の無彩色のインクの明度を定めるという技術的思想は、引用文献１、２に何ら記載も示唆もされておらず、もとより周知技術としても存在しません。」と主張しているが、上記１０で検討したとおり、本願発明の上記発明特定事項には、設計上の事項を超える技術上の意義は認められない（上記１０（３）エ参照。）。
（４）請求人は、同意見書の（４）で、「平成１８年４月１７日付けの手続補正書により補正した本願発明（請求項１ないし８）は、いずれも特許されるべきもの」であるとして、「補正却下の決定」の取り消しを求めているが、当審でなされた補正の却下の決定については当審で不服を申し立てることはできないのであり、平成１８年４月１７日付け手続補正は却下されたのであるから、本審判事件において審理の対象とする発明は、上記第２で述べたとおり、平成１７年１０月２１日付け手続補正により補正された明細書の特許請求の範囲の請求項１ないし８に記載された事項により特定されるとおりのものである。よって、この請求人の主張も採用できない。
　
　１２　効果について
　本願発明の奏する効果は、引用発明の奏する効果、引用例２に記載の事項が奏する効果及び上記周知技術の奏する効果から当業者が予測することができた程度のものである。
　
　１３　まとめ
　以上のとおりであるから、本願発明は、引用例１に記載された発明、引用例２に記載の事項及び周知技術に基づいて当業者が容易に発明をすることができたものである。
　
第６　むすび
　以上のとおり、本願発明は、引用例１に記載された発明、引用例２に記載の事項及び周知技術に基づいて当業者が容易に発明をすることができたものであるから、特許法第２９条第２項の規定により特許を受けることができない。
　よって、結論のとおり審決する。